(57)【要約】【課題】同一の加入者識別情報について主回線の電話番号と少なくとも一つの副回線の電話番号とが設定された通信端末装置による通信サービスを主回線で提供する場合、主回線から副回線への切り換え時に、通信端末装置と通信ネットワークとの間の通信トラフィックの増加を抑制することができる通信処理システム、サーバ及び通信端末装置を提供する。【解決手段】通信端末装置は、主回線の電話番号を使用可能な主回線モードから副回線の電話番号を使用可能な副回線モードに動作モードを切り換えたとき、通信サービスの利用登録解除要求を、ＩＭＳドメインのアプリケーションサーバに送信する。アプリケーションサーバは、通信端末装置から受信した利用登録解除要求に基づいて、通信端末装置の利用者の通信サービスの利用登録を解除する。【選択図】図５
2010057113.tif 000002
【特許請求の範囲】
【請求項１】
同一の加入者識別情報について主回線の電話番号と少なくとも一つの副回線の電話番号とが設定された通信端末装置と、予め利用登録された通信端末装置の加入者識別情報に基づいて当該通信端末装置による通信サービスを提供するサーバと、を備えた通信処理システムであって、
前記通信端末装置は、
前記主回線の電話番号を使用可能な主回線モードと前記副回線の電話番号を使用可能な副回線モードとの間で動作モードを切り換える動作モード切換手段と、
前記主回線モードから前記副回線モードに動作モードを切り換えたとき、前記通信サービスの利用登録解除要求を前記サーバに送信する要求送信手段と、を備え、
前記サーバは、
前記通信端末装置から前記利用登録解除要求を受信する要求受信手段と、
前記要求受信手段で受信した前記利用登録解除要求に基づいて、前記通信端末装置の利用者の前記通信サービスの利用登録を解除する利用登録解除処理を実行する登録解除手段と、を備えたことを特徴とする通信処理システム。
【請求項２】
請求項１の通信処理システムにおいて、
前記サーバは、前記登録解除手段による利用登録解除処理が完了した旨の情報を含む登録解除完了応答を前記通信端末装置に送信する応答送信手段を更に備え、
前記通信端末装置は、前記サーバから前記登録解除完了応答を受信する応答受信手段を更に備え、
前記通信端末装置の前記動作モード切換手段は、前記サーバから受信した前記登録解除完了応答に基づいて前記主回線モードから前記副回線モードへの動作モードの切換処理を完了し、
前記通信端末装置は、前記副回線モードへの動作モードの切換処理が完了した旨を示す情報を出力する情報出力手段を更に備えたことを特徴とする通信処理システム。
【請求項３】
請求項１又は２の通信処理システムにおいて、
前記通信端末装置の前記要求送信手段は、前記副回線モードから前記主回線モードに動作モードを切り換えたとき、前記通信サービスの利用登録要求を前記サーバに送信し、
前記サーバは、前記通信端末装置から受信した前記利用登録要求に基づいて、前記通信端末装置の利用者の前記通信サービスの利用登録の処理を実行する登録手段を更に備えたことを特徴とする通信処理システム。
【請求項４】
請求項３の通信処理システムにおいて、
前記サーバの前記応答送信手段は、前記登録手段による利用登録の処理が完了した旨を示す情報を含む登録完了応答を前記通信端末装置に送信し、
前記通信端末装置の前記応答受信手段は、前記サーバから前記登録完了応答を受信し、
前記通信端末装置の前記動作モード切換手段は、前記サーバから受信した前記登録完了応答に基づいて、前記副回線モードから前記主回線モードへの動作モードの切換処理を完了し、
前記通信端末装置の前記情報出力手段は、前記主回線モードへの動作モードの切換処理が完了した旨を示す情報を出力することを特徴とする通信処理システム。
【請求項５】
請求項１、２、３又は４の通信処理システムにおいて、
前記通信端末装置は、前記登録解除要求又は前記登録要求の送信からの経過時間を計測する時間計測手段を更に備え、
前記通信端末装置の前記要求送信手段は、前記時間計測手段による前記経過時間に基づいて、前記登録解除要求に対する登録完了応答又は前記登録要求に対する登録完了応答を予め設定した所定の経過時間内に受信しなかったとき、前記登録解除要求又は前記登録要求の送信を繰り返すことを特徴とする通信処理システム。
【請求項６】
請求項５の通信処理システムにおいて、
前記通信端末装置の前記要求送信手段は、前記登録完了応答又は前記登録完了応答を受信しなかったときの前記登録解除要求又は前記登録要求の送信を予め設定した所定回数繰り返し、
前記通信端末装置の前記動作モード切換手段は、前記登録解除要求又は前記登録要求の送信を前記所定回数繰り返しても前記登録完了応答又は前記登録完了応答を受信しなかったときには、前記動作モードの切換処理を強制的に完了することを特徴とする通信処理システム。
【請求項７】
同一の加入者識別情報について主回線の電話番号と少なくとも一つの副回線の電話番号とが設定された通信端末装置による通信を処理し、予め利用登録された通信端末装置の加入者識別情報に基づいて当該通信端末装置による通信サービスを提供するサーバであって、
前記通信端末装置から前記通信サービスの利用登録解除要求を受信する要求受信手段と、
前記要求受信手段で受信した前記利用登録解除要求に基づいて、前記通信端末装置の利用者の前記通信サービスの利用登録を解除する利用登録解除処理を実行する登録解除手段と、を備えたことを特徴とするサーバ。
【請求項８】
請求項７のサーバにおいて、
前記登録解除手段による利用登録解除処理が完了した旨の情報を含む登録解除完了応答を前記通信端末装置に送信する応答送信手段を更に備えたことを特徴とするサーバ。
【請求項９】
請求項７又は８のサーバにおいて、
前記通信端末装置から受信した前記通信サービスの利用登録要求に基づいて、前記通信端末装置の利用者の前記通信サービスの利用登録の処理を実行する登録手段を更に備えたことを特徴とするサーバ。
【請求項１０】
請求項９のサーバにおいて、
前記応答送信手段は、前記登録手段による利用登録の処理が完了した旨を示す情報を含む登録完了応答を前記通信端末装置に送信することを特徴とするサーバ。
【請求項１１】
同一の加入者識別情報について主回線の電話番号と少なくとも一つの副回線の電話番号とが設定され、予め利用登録された通信端末装置の加入者識別情報に基づいて当該通信端末装置による通信サービスを提供するサーバから通信サービスの提供を受ける通信端末装置であって、
前記主回線の電話番号を使用可能な主回線モードと前記副回線の電話番号を使用可能な副回線モードとの間で動作モードを切り換える動作モード切換手段と、
前記主回線モードから前記副回線モードに動作モードを切り換えたとき、前記通信サービスの利用登録解除要求を前記サーバに送信する要求送信手段と、を備えたことを特徴とする通信端末装置。
【請求項１２】
請求項１１の通信端末装置において、
前記サーバから利用登録解除処理が完了した旨の情報を含む登録解除完了応答を受信する応答受信手段を更に備え、
前記動作モード切換手段は、前記サーバから受信した前記登録解除完了応答に基づいて前記主回線モードから前記副回線モードへの動作モードの切換処理を完了し、
前記副回線モードへの動作モードの切換処理が完了した旨を示す情報を出力する情報出力手段を更に備えたことを特徴とする通信端末装置。
【請求項１３】
請求項１１又は１２の通信端末装置において、
前記要求送信手段は、前記副回線モードから前記主回線モードに動作モードを切り換えたとき、前記通信サービスの利用登録要求を前記サーバに送信することを特徴とする通信端末装置。
【請求項１４】
請求項１３の通信端末装置において、
前記応答受信手段は、前記サーバから利用登録の処理が完了した旨を示す情報を含む登録完了応答を受信し、
前記動作モード切換手段は、前記サーバから受信した前記登録完了応答に基づいて、前記副回線モードから前記主回線モードへの動作モードの切換処理を完了し、
前記情報出力手段は、前記主回線モードへの動作モードの切換処理が完了した旨を示す情報を出力することを特徴とする通信端末装置。
【請求項１５】
請求項１２又は１４の通信端末装置において、
前記登録解除要求又は前記登録要求の送信からの経過時間を計測する時間計測手段を更に備え、
前記要求送信手段は、前記時間計測手段による前記経過時間に基づいて、前記登録解除要求に対する登録完了応答又は前記登録要求に対する登録完了応答を予め設定した所定の経過時間内に受信しなかったとき、前記登録解除要求又は前記登録要求の送信を繰り返すことを特徴とする通信端末装置。
【請求項１６】
請求項１５の通信端末装置において、
前記要求送信手段は、前記登録完了応答又は前記登録完了応答を受信しなかったときの前記登録解除要求又は前記登録要求の送信を予め設定した所定回数繰り返し、
前記動作モード切換手段は、前記登録解除要求又は前記登録要求の送信を前記所定回数繰り返しても前記登録完了応答又は前記登録完了応答を受信しなかったときには、前記動作モードの切換処理を強制的に完了することを特徴とする通信端末装置。
【発明の詳細な説明】
【技術分野】
【０００１】
本発明は、同一の加入者識別情報について主回線の電話番号と少なくとも一つの副回線の電話番号とが設定された通信端末装置、その通信端末装置による通信サービスを提供するサーバ、並びに、それらの通信端末装置及びサーバを備えた通信処理システムに関するものである。
【背景技術】
【０００２】
従来、１台の移動通信端末で複数の電話番号を使用することができる移動通信システムが知られている。この移動通信システムでは、同一の加入者識別情報について主回線の電話番号と副回線の電話番号とが設定される（特許文献１参照）。
また、固定電話や移動体通信網など、これまで回路スイッチやパケットスイッチが異なっていた公衆通信サービスを、ＩＰ技術やインターネット電話で使われるプロトコルであるＳＩＰ（Session Initiation Protocol）で統合し、マルチメディアサービスを実現させる通信方式として、ＩＭＳ（IP Multimedia Subsystem）が知られている。このＩＭＳにより、音声とビデオなどのマルチメディア・アプリケーションを、ＩＰをベースとしたパケット通信ネットワーク上で、柔軟に提供することができる。利用者は加入者識別情報に基づいて利用登録してＩＭＳによるサービスの提供を受けることになる。
【特許文献１】特開２００５−３４０９６２号公報
【発明の開示】
【発明が解決しようとする課題】
【０００３】
上記移動通信システムで上記ＩＭＳサービスを提供するにあたって、使用頻度の高い主契約である主回線でのみサービスを提供し、副契約である副回線ではサービスを提供しないシステム構成になっている場合がある。しかしながら、このシステム構成では、利用者が移動通信端末を主回線から副回線に切り換えてもＩＭＳが利用登録された状態（ログオン状態）のままで解除状態（ログオフ状態）にならず、使用していない主回線に画像等のマルチメディアデータを送信し続けてしまい、移動通信端末（通信端末装置）と通信ネットワークとの間の通信トラフィックが増加してしまうという問題がある。
【０００４】
本発明は以上の問題点に鑑みなされたものであり、その目的は、同一の加入者識別情報について主回線の電話番号と少なくとも一つの副回線の電話番号とが設定された通信端末装置による通信サービスを主回線で提供する場合、主回線から副回線への切り換え時に、通信端末装置と通信ネットワークとの間の通信トラフィックの増加を抑制することができる通信処理システム、サーバ及び通信端末装置を提供することである。
【課題を解決するための手段】
【０００５】
本発明は、同一の加入者識別情報について主回線の電話番号と少なくとも一つの副回線の電話番号とが設定された通信端末装置と、予め利用登録された通信端末装置の加入者識別情報に基づいて当該通信端末装置による通信サービスを提供するサーバと、を備えた通信処理システムを提供する。前記通信端末装置は、前記主回線の電話番号を使用可能な主回線モードと前記副回線の電話番号を使用可能な副回線モードとの間で動作モードを切り換える動作モード切換手段と、前記主回線モードから前記副回線モードに動作モードを切り換えたとき、前記通信サービスの利用登録解除要求を前記サーバに送信する要求送信手段と、を備える。また、前記サーバは、前記通信端末装置から前記利用登録解除要求を受信する要求受信手段と、前記要求受信手段で受信した前記利用登録解除要求に基づいて、前記通信端末装置の利用者の前記通信サービスの利用登録を解除する利用登録解除処理を実行する登録解除手段と、を備える。
本発明において、ユーザが通信端末装置を操作し、動作モード切替手段が通信端末装置の動作モードを主回線モードから副回線モードに切り換えると、通信端末装置の要求送信手段が通信サービスの利用登録解除要求をサーバに送信する。この利用登録解除要求をサーバの要求受信手段が受信し、サーバはこの利用登録解除要求に基づいて通信サービスの利用登録解除処理を実行する。これにより副回線モードの通信端末装置に対してサーバから通信サービスは提供されなくなる。
【０００６】
前記サーバにおいて、前記登録解除手段による利用登録解除処理が完了した旨の情報を含む登録解除完了応答を前記通信端末装置に送信する応答送信手段を更に備えてもよい。
また、前記通信端末装置において、前記サーバから前記登録解除完了応答を受信する応答受信手段を更に備え、前動作モード切換手段は、前記サーバから受信した前記登録解除完了応答に基づいて前記主回線モードから前記副回線モードへの動作モードの切換処理を完了してもよい。
また、前記通信端末装置において、前記副回線モードへの動作モードの切換処理が完了した旨を示す情報を出力する情報出力手段を更に備えてもよい。
また、前記通信端末装置において、前記要求送信手段は、前記副回線モードから前記主回線モードに動作モードを切り換えたとき、前記通信サービスの利用登録要求を前記サーバに送信してもよい。
また、前記サーバにおいて、前記通信端末装置から受信した前記利用登録要求に基づいて、前記通信端末装置の利用者の前記通信サービスの利用登録の処理を実行する登録手段を更に備えてもよい。
また、前記サーバにおいて、前記応答送信手段は、前記登録手段による利用登録の処理が完了した旨を示す情報を含む登録完了応答を前記通信端末装置に送信してもよい。
また、前記通信端末装置において、前記応答受信手段は、前記サーバから前記登録完了応答を受信し、前記動作モード切換手段は、前記サーバから受信した前記登録完了応答に基づいて、前記副回線モードから前記主回線モードへの動作モードの切換処理を完了してもよい。
また、前記通信端末装置において、前記情報出力手段は、前記主回線モードへの動作モードの切換処理が完了した旨を示す情報を出力してもよい。
【０００７】
また、前記通信端末装置において、前記登録解除要求又は前記登録要求の送信からの経過時間を計測する時間計測手段を更に備え、前記要求送信手段は、前記時間計測手段による前記経過時間に基づいて、前記登録解除要求に対する登録完了応答又は前記登録要求に対する登録完了応答を予め設定した所定の経過時間内に受信しなかったとき、前記登録解除要求又は前記登録要求の送信を繰り返してもよい。
また、前記通信端末装置において、前記要求送信手段は、前記登録完了応答又は前記登録完了応答を受信しなかったときの前記登録解除要求又は前記登録要求の送信を予め設定した所定回数繰り返し、前記動作モード切換手段は、前記登録解除要求又は前記登録要求の送信を前記所定回数繰り返しても前記登録完了応答又は前記登録完了応答を受信しなかったときには、前記動作モードの切換処理を強制的に完了してもよい。
【発明の効果】
【０００８】
本発明によれば、通信端末装置の動作モードを主回線モードから副回線モードに切り換えたときに、通信端末装置からの利用登録解除要求に基づいてサーバが通信サービスの利用登録を解除し通信サービスの提供を停止するので、使用していない主回線に対して画像等のマルチメディアデータなどが送信されることを防ぎ、通信端末装置と通信ネットワークとの間の通信トラフィックの増加を抑制することができる。
【発明を実施するための最良の形態】
【０００９】
以下、図面を参照して本発明の実施の形態について説明する。
図１は本発明の実施形態に係る通信端末装置で電話通信や各種メッセージのメール送受信が可能な通信システム全体の概略構成の一例を示す説明図である。本実施形態の通信システムでは、複数の通信端末装置としての携帯電話機等の移動体通信端末である携帯電話機（ＵＥ：User Equipment）１０Ｓ，１０Ｒから電話サービスやメール送受信等のメール通信サービスを利用することができる。なお、本実施形態では、必要に応じて、電話の発呼側又はメッセージ送信側の端末装置を携帯電話機１０Ｓとし、電話の着呼側又はメッセージ受信側の端末装置を携帯電話機１０Ｒとして説明する。
【００１０】
本実施形態の携帯電話機１０Ｓ，１０Ｒはそれぞれ、その携帯電話機の利用者（通信サービスの加入者）に対応する同一の加入者識別情報について互いに異なる複数の電話番号及びメールアドレスがそれぞれ設定された複数の回線を使用可能に構成されている。なお、本実施形態では、上記複数の回線として、加入者が主に使用するように設定された主回線と、その加入者が主回線とは別に追加使用するように設定された一つの副回線とを使用可能な場合について説明するが、本発明は、２以上の副回線を使用可能な場合にも同様に適用できる。
【００１１】
さらに、本実施形態の携帯電話機１０Ｓ，１０Ｒはそれぞれ、主回線から副回線への切換に伴ってＩＭＳによる通信サービスの登録解除要求をアプリケーションサーバ２４０（後述）に送信する登録解除要求送信手段と、副回線から主回線への切換に伴ってＩＭＳによる通信サービスの登録要求をアプリケーションサーバ２４０に送信する登録要求送信手段と、時間計測手段との機能を備えている。
【００１２】
移動体通信網２０は、基地局や無線ネットワーク制御装置等を含む無線アクセスネットワーク（ＲＡＮ：Radio Access Network）２１０と、交換器等を含むコアネットワーク２２０と、ＩＭＳ（ＩＰマルチメディアサブシステム）等のサービスを提供するためのアプリケーションサーバ２４０を含むＩＰ（Internet Protocol）ネットワーク２３０と、ショートメッセージサービス（以下、「ＳＭＳ」と略す。）のメッセージの送受信を中継して処理するショートメッセージサービスセンタ（以下、「ＳＭＳＣ」と略す。）２５０と、サービス制御装置（ＳＣＰ）２６０と、番号登録装置（ＦＮＲ）２７０とを備えている。
【００１３】
上記サービス制御装置（ＳＣＰ）２６０は、各携帯電話機１０で利用される主回線の電話番号と副回線の電話番号とを互いに関連付けて保存したデータベースを有し、主回線及び副回線を使用可能な複数回線利用サービスを提供する際に必要となる各種処理を実行する。このサービス制御装置（ＳＣＰ）２６０は、上記複数回線利用サービスで使用される専用のＳＭＳＣ機能やＨＬＲ（Home Location Register）機能も有する。
【００１４】
上記番号登録装置（ＦＮＲ）２７０は、各携帯電話機１０で利用される主回線の電話番号と副回線の電話番号とを互いに関連付けて登録し、古い世代の通信方式で使用した電話番号で新しい世代の通信方式の電話通信を利用できるようにする処理を実行する。
【００１５】
また、上記移動体通信網２０は、図１において図示が省略されているが、各利用者による通信サービスの利用を管理する通信サービス利用管理装置としてのＲＡＤＩＵＳ（Remote Authentication Dial In User Service）サーバと、加入者がウェブやメール等の通信サービスを利用する際に必要な利用者情報や携帯電話機の情報等を管理する利用者情報管理装置としてＲ２Ｍ（RADIUS and Repository Manager）サーバとを備えている。上記ＲＡＤＩＵＳサーバは、通信サービスの利用者を識別する認証処理、認証済みの利用者に対して通信サービスを提供するか否かを判断する処理、実際の通信サービスの利用情報を記録するアカウンティング等を行う。また、上記Ｒ２Ｍサーバは、移動体通信網２０の他のノードからリクエストに応じて、各携帯電話機の電話番号や加入者識別情報（ＩＭＳＩ：International Mobile Subscriber Identity）等の情報を提供する。
【００１６】
上記無線アクセスネットワーク２１０の基地局２１１は、管轄対象のセルごとに設けられ、移動体通信網２０内の有線回線からのデータを無線インタフェースに合うデータフォーマットに変換し、管轄対象のセル内にある携帯電話機１０Ｓ，１０Ｒに無線周波数で送信する。逆に無線周波数で送信される携帯電話機１０Ｓ，１０Ｒからのデータを受信して有線インタフェースに合うデータフォーマットに変換し、移動体通信網２０内の有線回線部分に転送する。
【００１７】
上記コアネットワーク２２０は、回線交換網やパケット交換網等の交換網、位置登録装置（ＨＬＲ：Home Location Register）２２１、図示しない認証センター等を備え、各携帯電話機間の通信等を中継するように通信制御を行う。更に、コアネットワーク２２０は、各携帯電話機と、移動体通信網２０内の構成要素との間における通信を中継するように通信制御を行う。また、コアネットワーク２２０は、各携帯電話機と他の通信ネットワークとの間における通信を中継するように通信制御を行う。
【００１８】
また、上記コアネットワーク２２０のパケット交換網は、ＳＧＳＮ（Serving GPRS Support Node）２２２やＧＧＳＮ（Gateway GPRS Support Node）２２３等のノードを有している。ＳＧＳＮ２２２は、基地局２１１が接続されている図示しない無線ネットワーク制御装置とコアネットワーク２２０側のパケット交換網との間のゲートウェイ機能と、各携帯電話機１０Ｓ，１０Ｒの位置管理、セキュリティ管理及びアクセス制御を行う機能とを有している。また、ＧＧＳＮ２２３は、コアネットワーク２２０側のパケット交換網と、ＩＰネットワーク２３０との間のゲートウェイ機能を有している。
【００１９】
また、上記コアネットワーク２２０の回線交換網は、交換機（ＭＳＣ：Mobile Switching Center）２２４と、関門交換機（ＧＭＳＣ：Gateway MSC）２２５等のノードを有している。上記交換機２２４は、携帯電話機１０が在圏するエリアで携帯電話機１０の位置情報を登録し管理するＶＬＲ（Visited Location Register）の機能と、呼制御機能とサービス制御機能との間で行なわれるインタラクションのための一連のプロセスを実行するサービス交換機能（ＳＳＦ：Service Switching Function）の機能も有している。また、外部の電話網６０との間の電話通信などは関門交換機２２５を介して行うことができる。
【００２０】
上記ＩＰネットワーク２３０は、メール処理システム２３１のほか、プロキシサーバ２３５、ゲートウェイサーバ２３６、プッシュ型の配信中継装置としてのＰＰＧ（Push Proxy Gateway）サーバ２３７、加入者情報が格納された加入者情報データベースとしてのＣＵＲ（Common User Repository）２３８、各種メッセージの配信情報を管理するメッセージ配信管理装置としてのＭＤＭ（Message Delivery Management）サーバ２３９、上記アプリケーションサーバ２４０、その他図示しないＷＥＢサーバ等を備えている。
【００２１】
上記メール処理システム２３１は、マルチメディアメッセージ（以下、「ＭＭＳメッセージ」という。）のメール送受信が可能なメール通信サービスを提供することができるマルチメディアメッセージングサービスセンター（ＭＭＳＣ）として機能する。このメール処理システム２３１は、メール転送処理装置としてのマルチメディアメッセージングサービス−リレー（ＭＭＳ−Ｒ。以下、「ＭＭＳリレー装置」という。）２３２と、メール格納管理装置としてのマルチメディアメッセージングサービス−サーバ（ＭＭＳ−Ｓ。以下、「ＭＭＳサーバ装置」という。）２３３とを備える。ＭＭＳリレー装置２３２は、各携帯電話機１０Ｓ，１０Ｒから、送信対象のＭＭＳメッセージやメール関連処理の処理要求等を受信したり、ＭＭＳメッセージの着信通知、メッセージ本体（メール本体）、送信済みのＭＭＳメッセージについての配信確認通知等を各携帯電話機１０Ｓ，１０Ｒに送信したりする。ＭＭＳサーバ装置２３３は、ＭＭＳメッセージを記憶するメール記憶手段としてのメールボックス（メッセージボックス）２３３ａを備え、送受信されるＭＭＳメッセージを配信可能に一時的に保存したり、各加入者の送信済みのＭＭＳメッセージや受信済みのＭＭＳメッセージを保存したりする。メール処理システム２３１と携帯電話機１０Ｓ，１０Ｒとの間のＭＭＳメッセージの送受信には、ＨＴＴＰ等のＷＥＢ通信プロトコルのほか、ＳＭＴＰやＩＭＡＰ等の汎用のメール通信プロトコルを用いることができる。
【００２２】
上記プロキシサーバ２３５は、各携帯電話機１０Ｓ，１０Ｒと、ＩＰネットワーク２３０内のサーバやインターネット３０上のサーバとの間の通信を中継する処理を行う。このプロキシサーバ２３５は、コアネットワーク２２０における通信プロトコルとＩＰネットワーク２３０やインターネット３０等の他の通信ネットワークにおける通信プロトコルが異なる場合に、両通信プロトコルを合わせるためのプロトコル変換機能も有している。なお、このＩＰネットワーク２３０には、ＷＥＢサーバや、コンテンツをダウンロードするためのダウンロードサーバを設けてもよい。
【００２３】
上記ゲートウェイサーバ２３６は、移動体通信網２０のＩＰネットワーク２３０とインターネット３０との間のゲートウェイ機能とファイヤウォール機能とを有している。
【００２４】
上記ＰＰＧサーバ２３７は、メール処理システム２３１から受信したプッシュリクエストに基づいて、上記着信通知等のメッセージをプッシュ型のメッセージとして、ＳＭＳＣ２５０を経由して携帯電話機１０Ｓ，１０Ｒに送信する。上記プッシュ型のメッセージとしては、例えばＷＡＰ（Wireless Application Protocol）仕様に準拠したＷａｐＰｕｓｈのメッセージを用いることができる。なお、ＰＰＧサーバ２３７は、着信通知等のプッシュ型のメッセージを転送する際に、必要に応じて、通信プロトコルを変換したり、データの値を変換したり、データフォーマットを変換したりするように構成してもよい。
【００２５】
上記ＣＵＲ２３８は、携帯電話機を用いて移動体通信網２０の各種通信サービスを利用する加入者の情報を格納している。この加入者の情報としては、例えば、各加入者の氏名や住所等の情報のほか、各加入者に一意に付与されたＩＭＳＩ（International Mobile Subscriber Identity）等の加入者識別情報、各加入者が使用する携帯電話機の端末識別情報としての電話番号（ＭＳＩＳＤＮ：Mobile Subscriber ISDN Number）及びメールアドレス、各加入者が利用登録した通信サービスの情報、各種通信サービスを使用するとき等に用いられるサービス利用者識別情報（例えばアカウント情報）やパスワード等の認証情報、等が格納されている。また、本実施形態のように、同一の加入者識別情報について互いに異なる複数組の電話番号及びメールアドレスがそれぞれ設定された複数の回線を加入者が契約している場合は、その加入者について、複数の回線ごとに、電話番号、メールアドレス、各回線を契約した地域に関する契約サイト情報、主契約のＡ回線（主回線）及び副契約のＢ回線（副回線）を区分する契約回線情報、等が格納されている。
【００２６】
表１は、Ａ回線（主回線）及びＢ回線（副回線）の２回線を使用可能な加入者について上記ＣＵＲ２３８に格納されている複数回線契約関連の加入者情報の一部を例示したものである。また、表２は、その複数回線契約関連の加入者情報の値を例示したものである。
【００２７】
【表１】
2010057113.tif 000003
【００２８】
【表２】
2010057113.tif 000004
【００２９】
上記ＭＤＭサーバ２３９は、メール処理システム２３１からの情報に基づいて、携帯電話機１０Ｓ，１０Ｒで送受信されるＭＭＳメッセージの配信ステータスやメールボックスの利用ステータスを管理したり、各メッセージの送受信について課金用の通信サービス利用情報（ＣＤＲ：Call Detail Records）のファイルを生成したりする。前述のＭＭＳリレー装置２３２は、各携帯電話機１０Ｓ，１０Ｒで送受信されるＭＭＳメッセージの配信ステータス情報をＭＤＭサーバ２３９に通知したり、ＭＤＭサーバ２３９から取得した配信ステータス情報に基づいて配信確認通知を各携帯電話機１０Ｓ，１０Ｒに送信したりすることができる。また、ＭＤＭサーバ２３９で生成された課金用の通信サービス利用情報のファイルは、例えばＣＤＲ−Ｃ（CDR-Collector）等の情報収集装置で収集され、課金システムによる各加入者についての課金処理に使用される。
【００３０】
上記アプリケーションサーバ２４０は、ＩＭＳ（ＩＰマルチメディアサブシステム）等のサービスを提供するためのサーバであって、ユーザのログイン登録により加入者識別情報に基づいて、音声とビデオなどのマルチメディア・アプリケーションを、各携帯電話機１０に提供する。また、アプリケーションサーバ２４０は、携帯電話機１０からのＩＭＳサービスの登録解除要求や登録要求を受信する要求受信手段と、登録解除要求に基づき利用者の利用登録を解除する処理を実行する登録解除手段と、登録要求に基づき利用者の利用登録の処理を実行する登録手段と、これらの処理が完了した旨の情報を含む登録解除完了応答又は登録完了応答を携帯電話機１０に送信する応答送信手段としての機能を備えている。
【００３１】
上記ＳＭＳＣ２５０は、ショートメッセージサービス（ＳＭＳ）を提供するものであり、各携帯電話機の端末識別情報としての電話番号に基づいて、サイズ制限（例えば１４０バイト）のあるショートメッセージを発信側の携帯電話機１０Ｓから受信し、受信側の携帯電話機１０Ｒに送信する。また、ＳＭＳＣ２５０は、放送形式で複数の携帯電話機へ一斉にショートメッセージを送信することもできる。
【００３２】
上記移動体通信網２０のＩＰネットワーク２３０を介して接続されているインターネット３０には、各種コンテンツ提供用のサーバが接続されている。このコンテンツ提供用のサーバとしては、ＷＥＢページのコンテンツを主に提供するＷＥＢサーバ４０や、画像ファイル、音楽ファイル、アプリケーションのプログラムファイルなどのコンテンツを主に提供するダウンロードサーバ５０等がある。インターネット３０上の各種コンテンツ提供サーバから携帯電話機１０Ｓ，１０Ｒにコンテンツをダウンロードするときには、ネットワークの各階層において所定の通信プロトコルが用いられる。例えば、ＷＥＢサーバ４０からＷＥＢページをダウンロードするときのアプリケーション層の通信プロトコルとしては、ＨＴＴＰ（HyperText Transfer Protocol）、Ｗ−ＨＴＴＰ（Wireless HyperText Transfer Protocol）、ＷＴＰ(Wireless Transaction Protocol)、ＷＳＰ（Wireless Session Protocol）等が用いられる。
【００３３】
図２は本発明の実施形態に係る携帯電話機の概略構成の一例を示すブロック図である。図３は同携帯電話機の外観構成の一例を示す正面図である。本実施形態の携帯電話機１０は、制御手段としての主制御部１２０と、記憶手段としての内部メモリ１２１と、移動体通信網２０を介して通信を行う通信手段としての無線通信部１２２及びアンテナ１１２と、表示手段としての表示部１２５と、操作手段としてのキー操作部１２６とを備えている。
【００３４】
また、携帯電話機１０は、プラットフォームに依存しないオブジェクト指向プログラミングによって開発されたアプリケーションプログラム（以下、必要に応じて「アプリケーション」と略す。）を実行可能な構成を有している。このアプリケーションとしては、ＪＡＶＡ（登録商標）、Ｃ、Ｃ＋＋等のプログラム言語で記述されたプログラムからなるアプリケーションなどが挙げられる。また、これらのアプリケーションの実行環境は、ＪＡＶＡ（登録商標）の仮想マシン（ＶＭ：Virtual Machine）やＢＲＥＷ（登録商標）等のミドルウェアによって構築される。携帯電話機１０は、ＪＡＶＡ（登録商標）などのプラットフォームに依存しないアプリケーションを実行するための実行環境を構築して管理するアプリケーション実行管理手段としてのアプリケーション実行管理部１２７を更に備えている。
【００３５】
上記主制御部１２０は、例えばＣＰＵ、キャッシュメモリ、ＲＯＭ、システムバス等で構成され、所定の制御プログラムを実行することにより、内部メモリ１２１や無線通信部１２２等の各部との間でデータの送受信を行ったり、各部を制御したりする。この主制御部１２０には、音信号処理部１２３を介して音入力手段としてのマイク１０８及び音出力手段としてのスピーカ１０９が接続されている。また、主制御部１２０には、表示制御手段としての表示制御部１２４を介して表示部１２５が接続されている。更に、主制御部１２０には、各種処理を指示したり各種データを入力したりするときに利用者によって操作されるキー操作部１２６も接続されている。また、主制御部１２０は、アプリケーション実行管理部１２７との間で各種指令やデータを送受信する。
【００３６】
また、主制御部１２０は、ダウンロードサーバから取得したアプリケーションのデータ（プロパティ情報、プログラム本体）をプロパティ情報内のアプリケーション種別情報に基づいて内部メモリ１２１の所定フォルダーに保存する手段や、他の携帯電話機や前述のサーバ３０との間で送受信するアプリケーション起動のメッセージを内部メモリ１２１の所定フォルダーに保存する手段としても機能する。上記所定フォルダーに保存するときに用いるアプリケーションのプロパティ情報は、例えば、ＪＡＶＡ（登録商標）の場合、ＪＡＤファイル内のMIDxlet拡張属性に記述することができる。
【００３７】
また、上記主制御部１２０は、無線通信部１２２等と協働し、プロパティ情報とプログラム本体とを含むアプリケーションのデータ（プロパティ情報、プログラム本体）をサーバから取得する手段や、他の携帯電話機や前述のサーバ３０との間でアプリケーション起動のメッセージを送受信する手段として機能する。
【００３８】
また、主制御部１２０は、ユーザの操作に基づいて、主回線の電話番号を使用可能な主回線モードと副回線の電話番号を使用可能な副回線モードとの間で動作モードを切り換える動作モード切換手段としても機能する。
また、主制御部１２０は、無線通信部１２２等からなる通信手段と連携することにより、主回線モードから副回線モードに動作モードを切り換えたときに通信サービスの登録解除要求をアプリケーションサーバ２４０に送信し、逆に、副回線モードから主回線モードに動作モードを切り換えたときに通信サービスの登録要求をアプリケーションサーバ２４０に送信する要求送信手段や、これらの要求に対するアプリケーションサーバ２４０からの応答を受信する応答受信手段としても機能する。また、主制御部１２０は、図示しないクロックを用いることにより、登録解除要求又は登録要求の送信からの経過時間を計測する時間計測手段としても機能する。
【００３９】
上記通信手段としての無線通信部１２２及びアンテナ１１２は、移動体通信網２０側の基地局２１１との間で所定の通信方式により無線通信する。
【００４０】
上記内部メモリ１２１は、例えばＲＡＭやＲＯＭなどの半導体メモリで構成され、主制御部１２０で実行するプログラムや各種データを記憶するものである。なお、これらの記憶手段としては、上記内部メモリ１２１ではなく、携帯電話機本体に着脱可能なメモリーカード、ＩＣカード等の記憶媒体を用いてもよい。
【００４１】
上記表示制御部１２４は、主制御部１２０から送られてきた描画データに基づいて表示部１２５に画像を表示するように制御する。表示部１２５は、液晶パネル等からなるディスプレイ１１０を用いて構成され、内部メモリ１２１に保存されているデータ等に基づいて各種画像が表示される。また、この表示部１２５には、実行可能なアプリケーションがリストアップされたアプリケーション一覧画面、アプリケーションの起動設定画面、アプリケーションの起動確認画面等のアプリケーションに関する各種画面を表示することができる。また、主回線モードから副回線モードへの切換完了画面や、副回線モードから主回線モードへの切換完了画面を表示することができる。
【００４２】
上記スピーカ１０９は、音信号処理部１２３でデジタル信号から変換されたアナログ信号が入力され、通話中の音声を出力したり、メールの着信音、電話の呼び出し音、音楽などを出力したりする。このスピーカ１０９及び音信号処理部１２３からなる音発生手段は、受信したメールに添付された添付ファイルを用いて効果音や音楽（楽曲、メロディ）を再生して出力するように、主制御部１２０で制御することができる。
【００４３】
なお、上記スピーカ１０９は、図３に示すように通話中の音声を聞くための受話器用スピーカ（レシーバ）１０９ａと、着信音や音楽などを出力する外部出力用スピーカ１０９ｂとを別々に設けて構成してもいいし、これらの受話器用スピーカ及び外部出力用スピーカを兼用するように一つのスピーカで構成してもよい。
【００４４】
上記キー操作部１２６は、データ入力キー（テンキー、＊キー、＃キー）１０３、通話開始キー１０４、終話キー１０５、スクロールキー１０６、多機能キー１０７等で構成され、利用者が通話開始、終話、メニュー選択、表示モードの切り換え等を指示したり情報を入力したりするときに用いられる。
【００４５】
上記マイク１０８は、利用者の音声を電気信号（アナログ信号）に変換する。マイク１０８から出力される音声の電気信号（アナログ信号）は、音信号処理部１２３に入力され、デジタル信号に変換される。
【００４６】
上記アプリケーション実行管理部１２７は、システムバス、ＣＰＵやＲＡＭ等で構成されている。このアプリケーション実行管理部１２７は仮想マシンとも呼ばれ、図４のソフトウェア構造上において中央の「アプリケーション実行環境」（仮想実行環境）に対応している。アプリケーション実行管理部１２７は、オブジェクト指向プログラミングで開発されたアプリケーションプログラムに利用されるクラスライブラリ、実行環境管理ライブラリ、アプリケーション管理等のソフトウェアを提供し、アプリケーションプログラムの実行環境を管理する。ここで、アプリケーションプログラムは、クラスライブラリＡＰＩ（アプリケーションインターフェース）を介して上記アプリケーション実行環境内にある関数等のクラスライブラリを呼び出して使用できるようになっている。この関数等のクラスライブラリの呼び出しの履歴は、アプリケーションプログラムの仮想的な実行環境（仮想マシンＶＭ）が終了するまで保持される。また、アプリケーション実行環境内の実行環境管理ライブラリは、電話機プラットフォームＡＰＩを介して電話機プラットフォーム内の電話機プラットフォームライブラリを呼び出して使用できるようになっている。
【００４７】
上記主制御部１２０は、他の携帯電話機等の通信端末やサーバとの間でＩＮＶＩＴＥやＭＥＳＳＡＧＥのメッセージ通信を行うアプリケーションを上記アプリケーション実行環境で実行する際に、そのメッセージ通信のための各種補完動作を実行するように制御することができる。例えば、上記アプリケーション実行環境で実行されているアプリケーションに基づいて少なくとも通信相手先及びメッセージ種別が設定されたメッセージ送信要求が、アプリケーション実行管理部１２７からネイティブの電話機プラットフォーム側に出力されたとき、その設定されたＩＮＶＩＴＥやＭＥＳＳＡＧＥ等の所定種別メッセージのヘッダ部に通信相手先の情報を書き込むとともにメッセージ通信に必要な他のヘッダ情報を補完して書き込んだ後、そのヘッダ部を有するＩＮＶＩＴＥやＭＥＳＳＡＧＥ等メッセージを指定の通信相手先に送信するように制御する。
【００４８】
図５は、ユーザが携帯電話機１０Ｓの動作モードを主回線モードから副回線モードに切り換えたときにＩＭＳサービスをログオフさせるときの通信手順の一例を示すシーケンス図である。
図５において、ユーザが携帯電話機１０Ｓの動作モードを主回線モードから副回線モードへ切換操作を行う（Ｓ１）。この切換操作に基づいて、携帯電話機１０Ｓの無線通信部１２２及び主制御部１２０は、ＩＭＳサービスの登録解除要求であるＤｅ−ＲＥＧＩＳＴＥＲ信号を、アプリケーションサーバ２４０に送信する（Ｓ２）。この信号を受信したアプリケーションサーバ２４０ではＩＭＳサービスをログオフ（Ｓ３）し、Ｄｅ−ＲＥＧＩＳＴＥＲ信号に対するリクエスト受け入れが成功した旨を示す登録解除完了応答である２００ＯＫを、携帯電話機１０Ｓ側に送信する（Ｓ４）。上記２００ＯＫは、携帯電話機１０Ｓの無線通信部１２２で受信されて主制御部１２０に送られ、主制御部１２０では、主回線から副回線への切換処理を完了させる（Ｓ５）。なお、図示しないが、必要に応じて動作モードの切換処理が完了し副回線モードになった旨を表示部１２５に表示し、ユーザが確認することができるようになっている。
【００４９】
以上により、携帯電話機１０Ｓの動作モードが副回線モードに切り換わるとともに、ＩＭＳサービスがログオフされ、アプリケーションサーバ２４０から携帯電話機１０Ｓの主回線に向けてマルチメディアデータ等の発信が停止し、携帯電話機１０Ｓと移動体通信網２０との間の通信トラフィックの増加を抑制することができる。
【００５０】
次に、上述した例とは逆に携帯電話機１の動作モードを副回線モードから主回線モードに切り換える場合について説明する。図６は、ユーザが携帯電話機１０Ｓを副回線モードから主回線モードに切り換えたときにＩＭＳサービスをログオンさせるときの通信手順の一例を示すシーケンス図である。
図６において、ユーザが携帯電話機１０Ｓの動作モードを副回線モードから主回線モードへ切換操作を行う（Ｓ１）。この切換操作に基づいて、携帯電話機１０Ｓの無線通信部１２２及び主制御部１２０は、ＩＭＳサービスの登録要求であるＲＥＧＩＳＴＥＲ信号を、アプリケーションサーバ２４０に送信する（Ｓ２）。この信号を受信したアプリケーションサーバ２４０ではＩＭＳサービスをログオン（Ｓ３）し、ＲＥＧＩＳＴＥＲ信号に対するリクエスト受け入れが成功した旨の登録完了応答である２００ＯＫを携帯電話機１０Ｓ側に送信する（Ｓ４）。上記２００ＯＫは、携帯電話機１０Ｓの無線通信部１２２で受信されて主制御部１２０に送られ、主制御部１２０では、副回線モードから主回線モードへの切換処理を完了させる（Ｓ５）。なお、図示しないが、必要に応じて動作モードの切換処理が完了し主回線モードになった旨を表示部１２５に表示し、ユーザが確認することができるようになっている。
【００５１】
なお、本実施形態において、携帯電話機１０Ｓから上記登録解除要求であるＤｅ−ＲＥＧＩＳＴＥＲ信号や登録要求であるＲＥＧＩＳＴＥＲ信号を送信しても、何らかの原因でアプリケーションサーバ２４０がそれらの信号を受信できない場合がある。この場合には動作モードの切換処理ができなくなってしまうので、Ｄｅ−ＲＥＧＩＳＴＥＲ信号やＲＥＧＩＳＴＥＲ信号を再送信するようにしてもよい。
【００５２】
図７は、ユーザが携帯電話機１０Ｓの動作モードを主回線モードから副回線モードに切換操作したときにＤｅ−ＲＥＧＩＳＴＥＲ信号がアプリケーションサーバ２４０で受信できず、信号を再送信する場合の通信手順の一例を示すシーケンス図である。
図７において、ユーザが携帯電話機１０Ｓの動作モードを主回線モードから副回線モードへの切換操作を行う（Ｓ１）。これにより、携帯電話機１０Ｓの無線通信部１２２及び主制御部１２０は、ＩＭＳサービスの登録解除要求であるＤｅ−ＲＥＧＩＳＴＥＲ信号を、アプリケーションサーバ２４０に送信する（Ｓ２−１）。しかし何らかの原因により、この信号はアプリケーションサーバ２４０には到達しないものとする。携帯電話機１０ＳではＤｅ−ＲＥＧＩＳＴＥＲ信号の送信タイミングに合わせてタイマを起動し、時間の計測を開始する。タイマは所定時間（例えば１分）でタイムアップするが、そのタイムアップまでの間にアプリケーションサーバ２４０からＤｅ−ＲＥＧＩＳＴＥＲ信号に対するリクエスト受け入れが成功した旨を示す登録解除完了応答である２００ＯＫ信号を受信できなかった場合、タイムアップのタイミングに合わせてＤｅ−ＲＥＧＩＳＴＥＲ信号を再送信する（Ｓ２−２）。この手順を例えば更に２回繰り返す（Ｓ２−３、Ｓ２−４）。そして、Ｄｅ−ＲＥＧＩＳＴＥＲ信号を４回送信しても２００ＯＫ信号を受信できなかった場合には、携帯電話機１０Ｓの主制御部１２０は、主回線モードから副回線モードへ強制的に切換処理を完了させる（Ｓ３）。この切換処理のタイミングに合わせてタイマが起動し、所定時間経過（例えば５分後）してタイムアップしたタイミングに合わせて再度Ｄｅ−ＲＥＧＩＳＴＥＲ信号を、アプリケーションサーバ２４０に送信する（Ｓ４）。この信号はアプリケーションサーバ２４０に到達したものとする。この信号を受信したアプリケーションサーバ２４０ではＩＭＳサービスをログオフ（Ｓ５）し、Ｄｅ−ＲＥＧＩＳＴＥＲ信号に対するリクエスト受け入れが成功した旨を示す登録解除完了応答である２００ＯＫを、携帯電話機１０Ｓ側に送信する（Ｓ６）。上記２００ＯＫは、携帯電話機１０Ｓの無線通信部１２２で受信されて主制御部１２０に送られる。なお、Ｄｅ−ＲＥＧＩＳＴＥＲ信号の送信のタイミングに合わせてタイマが起動し、所定時間（例えば５分）の計測を行っているが、２００ＯＫ信号の受信でストップする。また、図示しないが、必要に応じて動作モードの切換処理が全て完了し副回線モードになった旨を表示部１２５に表示し、ユーザが確認することができるようになっている。
【００５３】
図８は、ユーザが携帯電話機１０Ｓの動作モードを副回線モードから主回線モードに切換操作したときにＲＥＧＩＳＴＥＲ信号がアプリケーションサーバ２４０で受信できず、信号を再送信する場合の通信手順の一例を示すシーケンス図である。
図８において、ユーザが携帯電話機１０Ｓの動作モードを副回線モードから主回線モードへの切換操作を行う（Ｓ１）。これにより、携帯電話機１０Ｓの無線通信部１２２及び主制御部１２０は、ＩＭＳサービスの登録要求であるＲＥＧＩＳＴＥＲ信号を、アプリケーションサーバ２４０に送信する（Ｓ２−１）。しかし何らかの原因により、この信号はアプリケーションサーバ２４０には到達しないものとする。携帯電話機１０ＳではＲＥＧＩＳＴＥＲ信号の送信タイミングに合わせてタイマを起動し時間の計測をスタートさせる。タイマは所定時間（例えば１分）でタイムアップするが、そのタイムアップまでの間にアプリケーションサーバ２４０からＲＥＧＩＳＴＥＲ信号に対するリクエスト受け入れが成功した旨を示す登録完了応答である２００ＯＫ信号を受信できなかった場合、タイムアップのタイミングに合わせてＲＥＧＩＳＴＥＲ信号を再送信する（Ｓ２−２）。この手順を例えば更に２回繰り返す（Ｓ２−３、Ｓ２−４）。そして、ＲＥＧＩＳＴＥＲ信号を４回送信しても２００ＯＫ信号を受信できなかった場合には、携帯電話機１０Ｓの主制御部１２０は、主回線モードから副回線モードへ強制的に切換処理を完了させる（Ｓ３）。この切換処理のタイミングに合わせてタイマが起動し、所定時間経過（例えば５分後）してタイムアップしたタイミングに合わせて再度ＲＥＧＩＳＴＥＲ信号を、アプリケーションサーバ２４０に送信する（Ｓ４）。この信号はアプリケーションサーバ２４０に到達したものとする。この信号を受信したアプリケーションサーバ２４０ではＩＭＳサービスをログオン（Ｓ５）し、ＲＥＧＩＳＴＥＲ信号に対するリクエスト受け入れが成功した旨を示す登録完了応答である２００ＯＫを、携帯電話機１０Ｓ側に送信する（Ｓ６）。上記２００ＯＫは、携帯電話機１０Ｓの無線通信部１２２で受信されて主制御部１２０に送られる。なお、ＲＥＧＩＳＴＥＲ信号の送信のタイミングに合わせてタイマが起動し、所定時間（例えば５分）の計測を行っているが、タイマーは２００ＯＫ信号の受信で停止する。また、図示しないが、必要に応じて動作モードの切換処理が全て完了し主回線モードになった旨を表示部１２５に表示し、ユーザが確認することができるようになっている。
【００５４】
また、本実施形態においてＤｅ−ＲＥＧＩＳＴＥＲ信号やＲＥＧＩＳＴＥＲ信号がアプリケーションサーバ２４０に到達しない原因として、携帯電話機１０Ｓが基地局の電波の届かない圏外に存在している場合がある。この場合にはＤｅ−ＲＥＧＩＳＴＥＲ信号やＲＥＧＩＳＴＥＲ信号を送信しても無駄なので、圏内に遷移した後に信号を送信すればよい。
【００５５】
図９は、携帯電話機１０Ｓが圏外に存在している場合に、動作モードを切換る手順の一例を示すフローチャートである。
図９において、ユーザは携帯電話機１０Ｓの動作モードを主回線モードから副回線モードへの切換操作、又は、主回線モードから副回線モードへの切換操作を行う（Ｓ１）。このユーザ操作があったとき、携帯電話機１０Ｓの無線通信部１２２及び主制御部１２０は、携帯電話機１０Ｓが基地局の電波が届く圏内か否かを調べる（Ｓ２）。圏内に存在すれば、ＩＭＳサービスの登録解除要求であるＤｅ−ＲＥＧＩＳＴＥＲ信号、又は、登録要求であるＲＥＧＩＳＴＥＲ信号を、アプリケーションサーバ２４０に送信する（Ｓ３）。そして、登録解除完了応答又は登録完了応答である２００ＯＫを受信し（Ｓ４）、主回線モードから副回線モードへの切換処理、又は、副回線モードから主回線モードへの切換処理を完了させ（Ｓ５）、動作モードの切換が完了した旨を表示部１２５に表示し（Ｓ６）、終了する。
【００５６】
一方、携帯電話機１０Ｓが圏内か否かを調べたとき（Ｓ２）に、圏内に存在しない場合、すなわち圏外の場合には、表示部１２５に「圏外エラー」を表示する（Ｓ７）。そして、カウンタが「圏外エラー」の表示回数をカウントする（Ｓ８）。そして、カウンタの値が予め設定した所定値（例えば、５回）でなければ、タイマが起動し、予め設定した所定時間（例えば５分）計測する（Ｓ９）。タイムアップ後、再度圏内か否かを調べる（Ｓ２）。このときも圏内に存在しない場合には、上記手順（Ｓ７、Ｓ８、Ｓ９）を繰り返す。上記「圏外エラー」が上記所定回数だけ表示された場合には、カウンタがカウントアップし（Ｓ８）、「圏内遷移後に再度切換操作が必要」である旨を表示部１２５に表示（Ｓ１０）して、終了となる。この終了の場合と、動作モードの切換が完了して終了した場合に、カウンタはゼロリセットされる。
【図面の簡単な説明】
【００５７】
【図１】本発明の実施形態に係る通信システム全体の概略構成の一例を示す説明図。
【図２】同携帯電話機の概略構成の一例を示すブロック図。
【図３】同携帯電話機の外観構成の一例を示す正面図。
【図４】同携帯電話機のソフトウェア構造の一例を示す説明図。
【図５】ユーザが携帯電話機を主回線から副回線に切り換えたときにＩＭＳサービスをログオフさせるときの通信手順の一例を示すシーケンス図。
【図６】ユーザが携帯電話機を副回線から主回線に切り換えたときにＩＭＳサービスをログオンさせるときの通信手順の一例を示すシーケンス図。
【図７】ユーザが携帯電話機を主回線から副回線に切り換えたときに、Ｄｅ−ＲＥＧＩＳＴＥＲ信号がアプリケーションサーバに到達しない場合の通信手順の一例を示すシーケンス図。
【図８】ユーザが携帯電話機を副回線から主回線に切り換えたときに、ＲＥＧＩＳＴＥＲ信号がアプリケーションサーバに到達しない場合の通信手順の一例を示すシーケンス図。
【図９】携帯電話機が圏外に存在する場合に、ユーザが動作モードを切り換えたときの携帯電話機側の処理手順の一例を示すフローチャート。
【符号の説明】
【００５８】
１０    携帯電話機
１０Ｓ  送信側の携帯電話機
１０Ｒ  受信側の携帯電話機
２０    移動体通信網
２１０  無線アクセスネットワーク
２１１  基地局
２２０  コアネットワーク
２２１  位置登録装置（ＨＬＲ）
２２４  交換機（ＭＳＣ）
２２５  関門交換機（ＧＭＳＣ）
２３０  ＩＰネットワーク
２３５  プロキシサーバ
２３８  加入者情報データベース（ＣＵＲ）
２４０  アプリケーションサーバ
【図１】
2010057113.tif 000005
【図２】
2010057113.tif 000006
【図３】
2010057113.tif 000007
【図４】
2010057113.tif 000008
【図５】
2010057113.tif 000009
【図６】
2010057113.tif 000010
【図７】
2010057113.tif 000011
【図８】
2010057113.tif 000012
【図９】
2010057113.tif 000013